(57)【要約】【課題】  構造物の沈下修正を安全、正確かつ容易に行うことができ、しかも構造が簡単で低コストに製造でき、しかも十分な強度を有するアンカーボルト装置を提供する。【解決手段】  基礎上に構造物を固定するアンカーボルトであって、基礎側に固定される下部棒状体６と、構造物が取り付けられる上部棒状体５とを備え、下部棒状体と上部棒状体との間に、下部棒状体の軸線に対して上部棒状体の軸線を傾斜可能に接続する関節部７を有し、前記上部棒状体は外周面に雄ねじ部８が形成されているとともに、この雄ねじ部に螺合する上下のナット１０、１１を備え、構造物の土台構造体１４にあけた孔を上部棒状体に嵌めて土台構造体を上下のナットで挟み込んで固定するようにしてあって、下部棒状体が上部棒状体とともに基礎内に固定した筒体１に対して昇降できるように構成した。【選択図】  図１
2006104679.tif 000002
【特許請求の範囲】
【請求項１】
基礎上に構造物を固定するアンカーボルトであって、基礎側に固定される下部棒状体と、構造物が取り付けられる上部棒状体とを備え、下部棒状体と上部棒状体との間に、下部棒状体の軸線に対して上部棒状体の軸線を傾斜可能に接続する関節部を有するアンカーボルト装置。
【請求項２】
前記上部棒状体は外周面に雄ねじ部が形成されているとともに、この雄ねじ部に螺合する上下のナットを備え、構造物の土台構造体にあけた孔を上部棒状体に嵌めて土台構造体を上下のナットで挟み込んで固定するようにした請求項１に記載のアンカーボルト装置。
【請求項３】
前記下部棒状体は、この下部棒状体を内部に収容できる筒体を備え、この筒体が前記基礎内に固定されるように構成してなる請求項１に記載のアンカーボルト装置。
【請求項４】
前記下部棒状体は外周面に雄ねじ部を有するとともに、前記筒体の内周面に下部棒状体の雄ねじ部に螺合する雌ねじ部を有し、下部棒状体を正逆回動せしめることにより、下部棒状体が上部棒状体とともに前記筒体に対して昇降できるように構成してなる請求項３に記載のアンカーボルト装置。
【請求項５】
前記関節部は、前記下部棒状体の上端に取り付けたカップ状の受け部材と、前記上部棒状体の下端に設けた球状部と、この球状部を受け部材内から脱落しないように保持するための抜け止め部材とよりなる球関節で構成してなる請求項１に記載のアンカーボルト装置。
【発明の詳細な説明】
【技術分野】
【０００１】
本発明は、基礎上に建築物や土木構造物等の構造物を固定するためのアンカーボルト装置に関し、より詳しくは構造物の築造後において容易に沈下修正を行うことのできるアンカーボルト装置に関する。
【背景技術】
【０００２】
従来の構造物における基礎用のアンカーボルトは、少なくとも上部に雄ねじが形成され、基部が基礎中に埋め込まれて上端部が基礎の上面から突出するように設けられるのが一般的であり、構造物の土台構造体にあけた孔をアンカーボルトに嵌めてアンカーボルトにナットを螺合せしめ、土台構造体を基礎上に固定するのに用いられる。
【０００３】
ところで、構造物まわりの地盤の沈下や地下水位の変動によって構造物が傾いた場合、構造物の土台構造体等の所要箇所をジャッキアップして構造物を水平に戻し、この水平に戻した状態で基礎部分の補修を行う沈下修正工法が広く行われており、この沈下修正において土台構造体を容易に高さ調節できるようにした伸縮式のアンカーボルトがある（例えば、特許文献１参照）。
【０００４】
上述した沈下修正においては、地盤の不等沈下に伴って基礎が傾斜するが、アンカーボルトも基礎とともに傾斜して鉛直軸からずれるので、構造物を正確に固定することができなくなる。
【０００５】
したがって、従来は修正すべき高さが大である場合や傾斜角度が大である場合には、まずアンカーボルトから土台構造体を外し、その後アンカーボルトを一旦切断して基礎から上方へ延びる部分を鉛直に修正して溶接を行い、この修正後のアンカーボルトに土台構造体を取り付けてアンカーボルトに沿って構造物を沈下修正している。
【０００６】
しかし、上述した溶接によるアンカーボルトの傾き修正は、現場での作業となるため施工が天候に左右されたり、溶接の精度を十分には確保できなかったり、溶接の際に生じる火花が火災の原因となり得たりというような問題があって、作業には熟練技術と長年の経験が必要になり、したがっていきおい施工コストが嵩む。
【特許文献１】特開２００２−３７１６３３（第１〜７頁、図１〜２５）
【発明の開示】
【発明が解決しようとする課題】
【０００７】
本発明の目的とするところは、構造物の沈下修正を安全、正確かつ容易に行うことができ、しかも構造が簡単で低コストに製造でき、しかも十分な強度を有するアンカーボルト装置を提供することにある。
【課題を解決するための手段】
【０００８】
上記目的を達成するために、本発明の請求項１に係るアンカーボルト装置は、基礎上に構造物を固定するアンカーボルトであって、基礎側に固定される下部棒状体と、構造物が取り付けられる上部棒状体とを備え、下部棒状体と上部棒状体との間に、下部棒状体の軸線に対して上部棒状体の軸線を傾斜可能に接続する関節部を有する構成のものとしてある。
【０００９】
本発明の請求項２に係るアンカーボルト装置は、前記上部棒状体は外周面に雄ねじ部が形成されているとともに、この雄ねじ部に螺合する上下のナットを備え、構造物の土台構造体にあけた孔を上部棒状体に嵌めて土台構造体を上下のナットで挟み込んで固定するようにした構成のものとしてある。
【００１０】
本発明の請求項３に係るアンカーボルト装置は、前記下部棒状体は、この下部棒状体を内部に収容できる筒体を備え、この筒体が前記基礎内に固定されるように構成したものと  してある。
【００１１】
本発明の請求項４に係るアンカーボルト装置は、前記下部棒状体は外周面に雄ねじ部を有するとともに、前記筒体の内周面に下部棒状体の雄ねじ部に螺合する雌ねじ部を有し、下部棒状体を正逆回動せしめることにより、下部棒状体が上部棒状体とともに前記筒体に対して昇降できるように構成したものとしてある。
【００１２】
本発明の請求項５に係るアンカーボルト装置は、前記関節部を、前記下部棒状体の上端に取り付けたカップ状の受け部材と、前記上部棒状体の下端に設けた球状部と、この球状部を受け部材内から脱落しないように保持するための抜け止め部材とよりなる球関節で構成したものとしてある。
【発明の効果】
【００１３】
本発明によれば、構造物の沈下修正によって基礎が傾斜していても、基礎から上方に突出する上部棒状体を正確に鉛直とすることができ、しかも従来の沈下修正のようにアンカーボルトの切断や現場溶接等の煩雑かつ熟練を要する作業が不要となり、沈下修正作業を安全、正確かつ容易に行うことができ、さらに構造が簡単で低コストに製造でき、しかも十分な強度を得ることができる。
【００１４】
また、上下の棒状体を昇降できる構造のものは、下部構造体を構造物の土台構造体を上部棒状体から取り外すことなく取り付けたままで土台構造体を昇降せしめて沈下修正を行うことができ、沈下修正の施工を迅速かつ安全に行うことができる。
【実施例】
【００１５】
以下、本発明に係るアンカーボルト装置の実施例を添付図面に示す具体例に基づいて詳細に説明する。
筒体１は下端が基板２で塞がれ、開口上端にナット３が固定されたものとしてあって、この筒体１のナットにアンカーボルト本体４が螺合されている。
【００１６】
より詳しくは、上記アンカーボルト本体４は上部棒状体５と下部棒状体６とが関節部７を介して接続されたものとしてあって、下部棒状体６の外周面に形成した雄ねじ８が前記ナット３内周面の雌ねじと螺合している。
なお、上記ナット３の雌ねじと下部棒状体の雄ねじ８は耐荷重性の高い台形ねじとするのが望ましい。
【００１７】
また、前記上部棒状体５の外周面にはメートルねじ等の雄ねじ９が形成されていて、この雄ねじに上部ナット１０、下部ナット１１がそれぞれ螺合されていて、上下のナット間に上下の座金１２、１３を介して構造物の土台構造体１４を挟み込んで固定するようになっている。
【００１８】
しかして、前記関節部７は図２に示されるように、前記下部棒状体６の上端に固設したカップ状の受け部材１５と、前記上部棒状体５の下端に設けた球状部１６と、この球状部が受け部材内から脱落しないように保持するための抜け止め部材１７とで球関節を構成するものとしてあって、上部棒状体５は下部棒状体の中心軸線まわりに全周方向へ角度αの傾斜ができるようになっており、かつ上部棒状体は下部棒状体に対して軸線まわりにフリーに回動できるようになっている。
【００１９】
上記上部棒状体の傾斜角度αは、例えば最大で３°程度となるように設定しておくのが好ましく、この最大傾斜角度の上限は５°程度としておき、関節部に過大な荷重が掛からないようにする。
【００２０】
そして前記関節部７の構造を具体的に説明すると、受け部材１５は内周面に雌ねじ１５ａを有するとともに外周面にこの受け部材を回動させるための治具と係合させる平坦面１５ｂ、１５ｂを有し、さらに内底面に前記球状部１６の外面に倣い、この球状部を支持する凹面１５ｃを有している。
【００２１】
また、抜け止め部材１７は筒状にして、外周面に前記受け部材の雌ねじ１５ａと螺合する雌ねじ１７ａを有するとともに、開口上端に外向きフランジ１７ｂを備え、この外向きフランジの外周面に、抜け止め部材を受け部材内に取り付けるための治具と係合させる平坦面１７ｃ、１７ｃを有している。
【００２２】
上述のように構成した本発明のアンカーボルト装置は、使用状態においては図３に示されるように筒体１を構造物の基礎１８内に固定し、下部の座金１３よりも上の上部棒状体５の部分が基礎上面よりも上方に突出するように設けられる。
したがって、関節部７および下部ナット１１、下部座金１３は基礎の凹部１８ａ内に収容される。
なお、筒体は基礎１８内に配設された筋材（図示省略）に、溶接等の固定手段で強固に固定しておく。
【００２３】
しかして、構造物の沈下修正を行なう際には、関節部７の受け部材１５の平坦面１５ｂ、１５ｂに適宜の治具を係合せしめてこの受け部材を正逆回動させることにより、下部棒状体６を正逆回動させて、アンカーボルト本体４を筒体１に対して所要の位置まで昇降させる。
【００２４】
この際、下部棒状体６は軸回りに回動させられるが、下部棒状体と上部棒状体との間には関節部７が介在しているので、上部棒状体は回転しない。
したがって、上部棒状体は構造物の土台構造体１４が固定されたままの状態としておくことができ、アンカーボルト装置から土台構造体を取り外す必要がなく、安全かつ迅速に沈下修正を行なうことができるという極めて大なるメリットがある。
【００２５】
ところで、構造物が不等沈下した状態では基礎にも傾きが生じており、沈下修正によって構造物が水平に戻されても基礎は傾いたままであり、この基礎に固定された筒体１および下部棒状体６もまた基礎とともに傾いている。
【００２６】
しかし、土台構造体１４が取り付けられた上部棒状体５は関節部７を介して筒体に対して傾斜可能となっているので、図４に示されるように筒体１が傾斜していても構造物が水平に戻されれば鉛直となり、構造物を正確かつ確実に支持することができる。
【００２７】
なお、沈下量が大であって下部棒状体の長さが不足するような場合には、下部棒状体を筒体１から抜き出し、下部棒状体の下端に雌ねじ筒によって延長用棒状体を接続し、この延長用棒状体を筒体１のナット３に螺合せしめる。このように下部棒状体と延長用棒状体とを雌ねじ筒で接続すれば、現場溶接が不要となり、しかも充分な信頼性が得られる。
【００２８】
上述した実施例のものでは、関節部７を基礎の凹部１８ａに収容する構成としてあるが、基礎を上面が平坦なもので構成し、関節部が基礎上面より上方に突出するように設ける場合もあり、この場合には基礎上面と土台構造体の間に生じる隙間に適宜のスペーサを介設する。なお、土台構造体はアンカーボルト装置によって堅固に支持されるので、上記スペーサには樹脂製の波板のような荷重に対する支持力に乏しい材質のものを使用することができる。
【００２９】
また、上述した実施例では関節部７を球関節で構成してあるが、上下の棒状体間に所要の傾斜を付与できる構成の関節であれば、球関節に代えて他の２軸関節や１軸関節で構成する場合もある。
【００３０】
さらに、筒体１は上端にナット３を設けたものではなく筒体内面に雌ねじを有する雌ねじ筒で構成する場合もある。
また、筒体１内部の雌ねじもナット３も設けず、単に筒体内に下部棒状体を挿入するだけの構造とする場合もあり、この場合には下部棒状体の外周にも雄ねじを設ける必要がなく、アンカーボルト本体４の上下位置を調節する際には図５に示されるように筒体内に所要長さに切断したピース１９を挿入してこのピース上に下部棒状体を載せるようにする場合もある。
【００３１】
さらに、アンカーボルト本体の昇降が不要である場合には、筒体１を設けず、下部棒状体６を基礎内に直接固定する場合もある。
【図面の簡単な説明】
【００３２】
【図１】本発明に係る装置の実施例を一部破断して示す正面図。
【図２】関節部の断面図。
【図３】使用状態の一例を示す正面図。
【図４】沈下修正施工時の状態を示す正面図。
【図５】本発明に係る装置の他の実施例を示す要部拡大断面図。
【符号の説明】
【００３３】
１  筒体                      ２  基板
３  ナット                    ４  アンカーボルト本体
５  上部棒状体                ６  下部棒状体
７  関節部                    ８  雄ねじ
９  雄ねじ                  １０  上部ナット
１１  下部ナット              １２  上部座金
１３  下部座金                １４  土台構造体
１５  受け部材                １６  球状部
１７  抜け止め部材            １８  基礎
１９  ピース
【図１】
2006104679.tif 000003
【図２】
2006104679.tif 000004
【図３】
2006104679.tif 000005
【図４】
2006104679.tif 000006
【図５】
2006104679.tif 000007